(57)【要約】【課題】操作部に対する操作部保持用補助具の固定のための部材を特別に設ける必要がなく、しかも操作部に対して操作部保持用補助具の着脱が繰り返されても操作部保持用補助具を安定した状態に装着することができる内視鏡の操作部を提供すること。【解決手段】操作部１を保持する術者の手の形に応じて操作部１に取り付けられる操作部保持用補助具５０が、操作部１に配置された操作弁１０，２０のピストン体係止部材１４，２４により操作部１に固定されて、ピストン体係止部材１４，２４を取り外すことにより操作部保持用補助具５０を操作部１に着脱することができる。【選択図】      図１
2006167065.tif 000002
【特許請求の範囲】
【請求項１】
シリンダ体内で進退自在なピストン体が上記シリンダ体に対して着脱自在に取り付けられた操作弁が設けられた内視鏡の操作部において、
上記操作部を保持する術者の手の形に応じて上記操作部に取り付けられる操作部保持用補助具が、上記ピストン体を上記シリンダ体に係止するためのピストン体係止部材により上記操作部に固定されて、上記ピストン体係止部材を上記シリンダ体から取り外すことにより上記操作部保持用補助具を上記操作部に着脱することができるようにしたことを特徴とする内視鏡の操作部。
【請求項２】
上記操作弁として送気送水操作弁と吸引操作弁とが設けられていて、上記操作部保持用補助具が上記送気送水操作弁と上記吸引操作弁の各々において上記ピストン体係止部材により上記操作部に固定される請求項１記載の内視鏡の操作部。
【請求項３】
上記操作部に送気送水操作弁と吸引操作弁の少なくとも一方が設けられていて、上記操作部保持用補助具が上記送気送水操作弁と上記吸引操作弁の一方のピストン体係止部材により上記操作部に固定される請求項１記載の内視鏡の操作部。
【請求項４】
上記操作部保持用補助具が、上記操作部の外壁面と上記ピストン体係止部材との間に挟み付けられて固定される請求項１、２又は３記載の内視鏡の操作部。
【請求項５】
上記ピストン体係止部材が弾力性のある材料により形成されたフック状部分を有していて、上記フック状部分を弾性変形させることにより上記ピストン体係止部材が上記シリンダ体に対して係脱される請求項１、２、３又は４記載の内視鏡の操作部。
【発明の詳細な説明】
【技術分野】
【０００１】
この発明は内視鏡の操作部に関する。
【背景技術】
【０００２】
内視鏡を使用する術者は、内視鏡の操作部を手で保持した状態でその操作部に配置されている各種操作部材の操作を行うが、術者の手の形や大きさは千差万別であり、人によっては操作部を使い易い状態に保持できない場合がある。
【０００３】
そこで、術者の手の形や大きさに合わせて選択できる操作部保持用補助具を操作部に取り付けることにより、一つの操作部を誰でもが違和感なく使用できるようにしている（例えば、特許文献１）。
【特許文献１】実開昭６３−１２７６０１
【発明の開示】
【発明が解決しようとする課題】
【０００４】
しかし、特許文献１に記載されている操作部保持用補助具は、それ自体に突設された舌片を弾性変形させて内視鏡の操作部に取り付けるようになっているので、操作部への装着が繰り返されると、弾性変形部分が疲労や磨耗を起こして安定した状態に装着できなくなってしまう場合がある。かと言って、操作部保持用補助具を操作部に固定するための部材を別設すると、部品数が増えて取り扱いが面倒になってしまう。
【０００５】
そこで本発明は、操作部に対する操作部保持用補助具の固定のための部材を特別に設ける必要がなく、しかも操作部に対して操作部保持用補助具の着脱が繰り返されても操作部保持用補助具を安定した状態に装着することができる内視鏡の操作部を提供することを目的とする。
【課題を解決するための手段】
【０００６】
上記の目的を達成するため、本発明の内視鏡の操作部は、シリンダ体内で進退自在なピストン体がシリンダ体に対して着脱自在に取り付けられた操作弁が設けられた内視鏡の操作部において、操作部を保持する術者の手の形に応じて操作部に取り付けられる操作部保持用補助具が、ピストン体をシリンダ体に係止するためのピストン体係止部材により操作部に固定されて、ピストン体係止部材をシリンダ体から取り外すことにより操作部保持用補助具を操作部に着脱することができるようにしたものである。
【０００７】
なお、操作弁として送気送水操作弁と吸引操作弁とが設けられていて、操作部保持用補助具が送気送水操作弁と吸引操作弁の各々においてピストン体係止部材により操作部に固定されていてもよく、或いは、操作部に送気送水操作弁と吸引操作弁の少なくとも一方が設けられていて、操作部保持用補助具が送気送水操作弁と吸引操作弁の一方のピストン体係止部材により操作部に固定されていてもよい。
【０００８】
また、操作部保持用補助具が、操作部の外壁面とピストン体係止部材との間に挟み付けられて固定されてもよく、ピストン体係止部材が弾力性のある材料により形成されたフック状部分を有していて、フック状部分を弾性変形させることによりピストン体係止部材がシリンダ体に対して係脱されるようにしてもよい。
【発明の効果】
【０００９】
本発明によれば、操作部保持用補助具が、操作部に配置された操作弁のピストン体をシリンダ体に係止するためのピストン体係止部材により操作部に固定され、ピストン体係止部材をシリンダ体から取り外すことにより操作部保持用補助具を操作部に着脱することができるので、操作部に対する操作部保持用補助具の固定のための部材を特別に設ける必要がなく、しかも操作部に対して操作部保持用補助具の着脱が繰り返されても操作部保持用補助具自体に疲労や磨耗が発生せず、操作部保持用補助具を安定した状態に装着することができる。
【発明を実施するための最良の形態】
【００１０】
シリンダ体内で進退自在なピストン体がシリンダ体に対して着脱自在に取り付けられた操作弁が設けられた内視鏡の操作部において、操作部を保持する術者の手の形に応じて操作部に取り付けられる操作部保持用補助具が、ピストン体をシリンダ体に係止するためのピストン体係止部材により操作部に固定されて、ピストン体係止部材をシリンダ体から取り外すことにより操作部保持用補助具を操作部に着脱することができる。
【実施例】
【００１１】
図面を参照して本発明の実施例を説明する。
図３は内視鏡の外観図であり、操作部１の下端に可撓性の挿入部２が連結され、図示されていない光源装置に接続されるコネクタ部４が、操作部１の後面から延出する連結可撓管３の先端に取り付けられている。
【００１２】
操作部１の下半部は操作部１を保持する術者が左手で握って保持するための握り部になっており、上半部の前面には吸引操作弁１０や送気送水操作弁２０等の操作部材が配置され、上半部の側面には、操作部１を保持する術者の手の形等（即ち、手の形や大きさ）に合わせて各種取り揃えられる操作部保持用補助具５０を選択して取り付けることができるようになっている。
【００１３】
図４は内視鏡の配管図であり、連結可撓管３内から操作部１内を通って挿入部２内に引き通された吸引管５の途中に吸引操作弁１０が介挿接続され、送気管６と送水管７の各々の途中に送気送水操作弁２０が介挿接続されている。
【００１４】
吸引操作弁１０と送気送水操作弁２０は各々、図５に示されるように、前方に向いて開口する状態に操作部１に固定されたシリンダ体１１，２１内と、そのシリンダ体１１，２１内に軸線方向に進退自在に配置されたピストン体１２，２２とを有している。
【００１５】
そして、前方に向かって突出する状態にピストン体１２，２２の先端に連結された操作釦１３，２３を押し込むことにより、前述の吸引管５、送気管６及び送水管７の各々の連通と閉塞状態を切り換える吸引操作と送気送水操作を行うことができる。
【００１６】
吸引操作弁１０と送気送水操作弁２０の構造は公知のものであり、、各ピストン体１２，２２は、シリンダ体１１，２１の開口部に係脱自在なピストン体係止部材１４，２４によりシリンダ体１１，２１に係止されていて、ピストン体係止部材１４，２４を取り外すことにより、ピストン体１２，２２をシリンダ体１１，２１内から抜き出すことができる。
【００１７】
図６は、操作部保持用補助具５０を単体で示しており、操作部１の側面に沿って配置される側面突出部５１の前端側に、操作部１の上半部の前面に沿う前壁部５２が一体に形成され、シリンダ体１１，２１の開口部と位置を合わせて通孔５３，５４が貫通形成されている。操作部保持用補助具５０の形状は、操作部１に取り付けられた状態の側面図、正面図及び底面図である図７、図８及び図９にも表されている。
【００１８】
図１０は、操作部保持用補助具５０が取り付けられた状態の操作部１を術者が保持している状態を示しており、側面突出部５１が操作部１の下半部を握った手の上に載る状態になる。術者は自分の手の形に合わせて操作部保持用補助具５０を選択することにより、操作部１を楽に保持することができる。
【００１９】
図１は、操作部１に対する操作部保持用補助具５０の固定部を示しており、ピストン体係止部材１４，２４は、金属製の押さえ環１４ａ，２４ａの周囲に弾力性のあるプラスチック材等からなるフック状部分１４ｂ，２４ｂを一体成形したものであり、シリンダ体１１を操作部１に固定している固定ナット１５，２５の口元の鍔状部にフック状部分１４ｂ，２４ｂが係脱自在に係止されるようになっている。
【００２０】
フック状部分１４ｂ，２４ｂはピストン体係止部材１４，２４の一端側（奥側の端部）に形成されており、ピストン体係止部材１４，２４の表面側の端部（図１において左端部）は鍔状に広がった形状に形成されていて、操作部１の外壁面との間に操作部保持用補助具５０の前壁部５２を挟み付けて固定した状態になっている。
【００２１】
したがって、ピストン体係止部材１４，４２のフック状部分１４ｂ，２４ｂを固定ナット１５に係止された状態にすることによって、ピストン体１２，２２がシリンダ体１１，２１から抜け出さない状態に保持されると同時に、操作部保持用補助具５０が操作部１に安定した状態に固定される。
【００２２】
そして、ピストン体係止部材１４，４２のフック状部分１４ｂ，２４ｂを弾性変形させて固定ナット１５，２５から外すことにより、図２に示されるように、ピストン体１２，２２がシリンダ体１１，２１から抜き出されると同時に、操作部保持用補助具５０が操作部１から取り外された状態になる。
【００２３】
したがって、操作部１に対して操作部保持用補助具５０を固定するための部材を特別に設ける必要がなく、操作部１に対して操作部保持用補助具５０を容易に着脱することができ、着脱が繰り返されても操作部保持用補助具５０自体に疲労や磨耗が発生せず、操作部保持用補助具５０を操作部１に安定した状態に装着することができる。
【００２４】
なお、本発明は上記実施例に限定されるものではなく、例えば図１１、図１２に示されるように、操作部保持用補助具５０を吸引操作弁１０のピストン体係止部材１４のみで操作部１に固定するように構成してもよく、或いは送気送水操作弁２０のピストン体係止部材２４のみで固定するように構成してもよい。
【図面の簡単な説明】
【００２５】
【図１】本発明の第１の実施例の操作部保持用補助具が操作部に取り付けられた状態の部分拡大側面断面図である。
【図２】本発明の第１の実施例の操作部保持用補助具が操作部から外された状態の部分拡大側面断面図である。
【図３】本発明の第１の実施例の内視鏡の外観図である。
【図４】本発明の第１の実施例の内視鏡の配管図である。
【図５】本発明の第１の実施例の内視鏡の操作部の側面図である。
【図６】本発明の第１の実施例の操作部保持用補助具を単体で示す斜視図である。
【図７】本発明の第１の実施例の内視鏡の操作部の側面図である。
【図８】本発明の第１の実施例の内視鏡の操作部の正面図である。
【図９】本発明の第１の実施例の内視鏡の操作部の底面図である。
【図１０】本発明の第１の実施例の内視鏡の操作部を術者が保持した状態の側面図である。
【図１１】本発明の第２の実施例の内視鏡の操作部の側面図である。
【図１２】本発明の第３の実施例の内視鏡の操作部の側面図である。
【符号の説明】
【００２６】
１  操作部
１０  吸引操作弁
２０  送気送水操作弁
１１，２１  シリンダ体
１２，２２  ピストン体
１４，２４  ピストン体係止部材
１４ｂ，２４ｂ  フック状部分
５０  操作部保持用補助具
５１  側面突出部
５２  前壁部
【図１】
2006167065.tif 000003
【図２】
2006167065.tif 000004
【図３】
2006167065.tif 000005
【図４】
2006167065.tif 000006
【図５】
2006167065.tif 000007
【図６】
2006167065.tif 000008
【図７】
2006167065.tif 000009
【図８】
2006167065.tif 000010
【図９】
2006167065.tif 000011
【図１０】
2006167065.tif 000012
【図１１】
2006167065.tif 000013
【図１２】
2006167065.tif 000014